(57)【特許請求の範囲】
【請求項１】
床面に凹部を形成し、
高さ調整部とモルタル均しガイドとを有する施工治具を前記凹部の底面に設置して前記高さ調整部により前記モルタル均しガイドの高さ調整を行い、
前記モルタル均しガイドの上面よりも高い位置まで前記凹部にモルタルを打設し、
前記施工治具の前記モルタル均しガイドに沿って定規を滑らせることにより前記モルタルの表面を平滑に施工し、
前記モルタルの表面および前記モルタル均しガイドの上面の少なくともいずれかへのスペーサの設置、及び前記モルタルの表面への接着剤の塗布を行い、
前記接着剤の上および前記スペーサの上にプレートを設置することを特徴とする床面の改修工法。
【請求項２】
前記モルタル均しガイドを前記モルタル内に埋め込むことを特徴とする請求項１記載の床面の改修工法。
【請求項３】
前記モルタルを打設した後であって前記モルタルが硬化する前に、前記高さ調整部を取り外すことを特徴とする請求項１または２に記載の床面の改修工法。
【請求項４】
表面が平滑に形成された平滑部を前記モルタル均しガイドに設け、
前記平滑部の上に前記スペーサを介在させて前記プレートを設置することを特徴とする請求項１〜３のいずれか１つに記載の床面の改修工法。
【請求項５】
段差部を有する床面に設置された和風便器を洋風便器に改修するトイレ改修工法であって、
前記和風便器を除去し、
前記和風便器の排水管を残したままで前記段差部を除去して前記床面に凹部を形成し、
請求項１〜４のいずれか１つに記載の床面の改修工法により前記凹部にモルタルを打設し、
前記接着剤の上および前記スペーサの上にプレートを施工し、
前記和風便器の前記排水管と前記洋風便器の排水口とを接続部材を介して接続し、前記プレートの上に前記洋風便器を載置することを特徴とするトイレ改修工法。
【請求項６】
前記モルタルは、硬化時間が普通ポルトランドセメントを用いたモルタルの硬化時間よりも短い速硬性モルタルであり、
前記モルタルと前記プレートとのあいだに前記スペーサを介在させることを特徴とする請求項５記載のトイレ改修工法。
【請求項７】
前記プレートは、陶磁器質タイル、石材、およびセメント材パネルの少なくともいずれかにより形成され、前記プレートの下に設けられた前記接着剤が硬化する前に前記プレートの上に載って作業可能な強度を有することを特徴とする請求項５または６に記載のトイレ改修工法。
【請求項８】
前記プレートは、テーパ部が形成された端部を有し、
前記端部を既設の床面に載置することを特徴とする請求項５〜７のいずれか１つに記載のトイレ改修工法。
【発明の詳細な説明】
【技術分野】
【０００１】
本発明の態様は、一般的に、床面の改修工法、トイレ改修工法、および施工治具に関する。
【背景技術】
【０００２】
例えばコンクリートなどにより形成された床面の改修工事を行うために、床面のハツリ作業を行う場合がある。また、例えば和風両用便器などと呼ばれる大小便兼用の和風便器が設けられたトイレ室には、一般的に、段差が床面に設けられている。そのため、例えば段差部を有する床面に設置された和風便器を洋風便器に改修するために、段差部のハツリ作業を行う場合がある。  
このような改修工事においては、ハツリ作業を行った部分（ハツリ部分）の壁や床の補修に時間がかかるため、改修工事の工期が比較的長期化する。
【０００３】
これに対して、伸縮自在の脚ボルトを有するユニットトイレパンをコンクリート打設箇所上面に直接載置するのではなく、床スラブの下段部上面及び脚ボルト受けアングル部材に支持し、浮いた状態で敷き込む水洗トイレの改修工法がある（特許文献１）。特許文献１に記載された水洗トイレの改修工法によれば、打設されたコンクリートの乾燥固化とは全く関係なくユニットトイレパンを敷き込むことが出来る。コンクリートの乾燥固化を待つ必要がなく、工事を進めることができる。
【０００４】
しかしながら、特許文献１に記載された水洗トイレの改修工法では、ユニットトイレパンの枠体の四隅及び中間部から下方に向かって伸縮可能な脚ボルトがそれぞれ突設されているため、ユニットトイレパンの下方には、空洞が存在する。そのため、ユニットトイレパンを形成する材料は、比較的高強度を有するものに限定される。例えばタイルや石材などのような衝撃で割れるおそれがある材料を用いることは、困難である。
【０００５】
また、和風便器の上部内に蓋材を嵌め込み、この蓋材の上側に高強度板を配置し、高強度板周囲の床の自硬性材料を供給するトイレの和洋改修方法がある（特許文献２）。特許文献２に記載されたトイレの和洋改修方法によれば、和風便器内に充填物を充填しないため、和風便器が重量物とならず、和風便器を支持している床スラブへの負荷を少なくすることができる。
【０００６】
しかしながら、特許文献２に記載されたトイレの和洋改修方法では、高強度板の下方に蓋材を介して空洞が存在する。そのため、高強度板および蓋材の材料は、比較的高強度を有するものに限定される。例えばタイルや石材などのような衝撃で割れるおそれがある材料を用いることは、困難である。
【０００７】
一方、床面に設置するプレートなどを接着剤により固定する場合には、接着剤は、例えばくし目などと呼ばれる山・谷を有する形状に塗布される。これにより、プレートを接着剤の上に設置すると、くし目状に塗布された接着剤の山の部分が潰れ、プレートの高さ方向の位置を調整しつつ固定することができる。しかし、接着剤の下に設けられた例えばモルタルなどの表面精度が良くないと、モルタル表面とプレート裏面との間隔のばらつきが大きくなる。これにより、間隔が広いところでは、接着剤を塗布しても接着剤がプレート裏面につかないことがある。すると、プレートが衝撃で割れやすくなってしまう。このような問題は、床面に設置するプレートの面積が広くなるにつれて顕著となる。
【０００８】
モルタル下地の作成の際には、モルタルの表面精度が重要である。作業者は、一般的に、高さの目安となる水糸を張り、その水糸を目安に左官コテを用いてモルタルを均していく。そのため、熟練技術を有する左官工でないと、モルタル下地の作成は困難であり、施工後の平滑面の精度のばらつきが大きくなる場合がある。
【先行技術文献】
【特許文献】
【０００９】
【特許文献１】特開２００１−２７１４０９号公報
【特許文献２】特開２００８−２２３３８２号公報
【発明の概要】
【発明が解決しようとする課題】
【００１０】
本発明は、かかる課題の認識に基づいてなされたものであり、工期の短縮化を図ることができる、あるいは熟練技術を有する左官工でなくとも施工が可能な床面の改修工法、トイレ改修工法、および施工治具を提供することを目的とする。
【課題を解決するための手段】
【００１１】
第１の発明は、床面に凹部を形成し、高さ調整部とモルタル均しガイドとを有する施工治具を前記凹部の底面に設置して前記高さ調整部により前記モルタル均しガイドの高さ調整を行い、前記モルタル均しガイドの上面よりも高い位置まで前記凹部にモルタルを打設し、前記施工治具の前記モルタル均しガイドに沿って定規を滑らせることにより前記モルタルの表面を平滑に施工し、前記モルタルの表面および前記モルタル均しガイドの上面の少なくともいずれかへのスペーサの設置、及び前記モルタルの表面への接着剤の塗布を行い、前記接着剤の上および前記スペーサの上にプレートを設置することを特徴とする床面の改修工法である。
【００１２】
この床面の改修工法によれば、施工治具および定規を使用することで、モルタルの表面を平滑に施工することができる。つまり、熟練技術を有することなく精度の高い平滑面を得ることができる。そのため、熟練技術を有する左官工でなくとも施工が可能な床面の改修工法を提供することができる。
【００１３】
また、第２の発明は、第１の発明において、前記モルタル均しガイドを前記モルタル内に埋め込むことを特徴とする床面の改修工法である。
【００１４】
この床面の改修工法によれば、モルタル均しガイドをモルタル内に埋め込むため、モルタル均しガイドを取り外す作業を省き、作業性を向上させることができる。また、施工治具の一部を取り外すときに、モルタルの表面を荒らすことなく平滑性を維持することができる。
【００１５】
また、第３の発明は、第１または第２の発明において、前記モルタルを打設した後であって前記モルタルが硬化する前に、前記高さ調整部を取り外すことを特徴とする床面の改修工法である。
【００１６】
この床面の改修工法によれば、モルタルが硬化する前に高さ調整部を取り外すため、モルタルが硬化した後に、モルタルの上面から上方へ突出した高さ調整部の一部を切断する手間を省くことができる。
【００１７】
また、第４の発明は、第１〜第３のいずれか１つの発明において、表面が平滑に形成された平滑部を前記モルタル均しガイドに設け、前記平滑部の上にスペーサを介在させてプレートを設置することを特徴とする床面の改修工法である。
【００１８】
この床面の改修工法によれば、プレートは、モルタル均しガイドの平滑部の上にスペーサを介在させて設置される。そのため、モルタルの上面にスペーサを介在させる場合よりもプレートの仕上げ面を精度よく平滑にすることができる。
【００１９】
また、第５の発明は、段差部を有する床面に設置された和風便器を洋風便器に改修するトイレ改修工法であって、前記和風便器を除去し、前記和風便器の排水管を残したままで前記段差部を除去して前記床面に凹部を形成し、第１〜第４の発明のいずれか１つの床面の改修工法により前記凹部にモルタルを打設し、前記接着剤の上および前記スペーサの上にプレートを施工し、前記和風便器の前記排水管と前記洋風便器の排水口とを接続部材を介して接続し、前記プレートの上に前記洋風便器を載置することを特徴とするトイレ改修工法である。
【００２０】
このトイレ改修工法によれば、施工治具および定規を使用することで、モルタルの表面を平滑に施工することができる。つまり、熟練技術を有することなく精度の高い平滑面を有するモルタル下地を施工することができる。そのため、モルタルの施工から洋風便器の施工までの作業を設備工だけで行うことができる。
【００２１】
また、第６の発明は、第５の発明において、前記モルタルは、硬化時間が普通ポルトランドセメントを用いたモルタルの硬化時間よりも短い速硬性モルタルであり、前記モルタルと前記プレートとのあいだにスペーサを介在させることを特徴とするトイレ改修工法である。
【００２２】
このトイレ改修工法によれば、モルタルとプレートとのあいだにスペーサを介在させるため、作業者は、接着剤が硬化する前にプレートの上に載って作業を行うことができる。これにより、作業者は、接着剤が硬化する前に洋風便器を設置することができる。そして、段差部を有する床面に設置された和風便器を洋風便器に改修するトイレ改修工事の工期の短縮化を図ることができる。
【００２３】
また、第７の発明は、第５または第６の発明において、前記プレートは、陶磁器質タイル、石材、およびセメント材パネルの少なくともいずれかにより形成され、前記プレートの下に設けられた前記接着剤が硬化する前に前記プレートの上に載って作業可能な強度を有することを特徴とするトイレ改修工法である。
【００２４】
このトイレ改修工法によれば、作業者は、接着剤が硬化する前にプレートの上に載って洋風便器の設置作業を行うことができる。また、プレートの下にモルタルおよび接着剤が充填されているため、例えばタイルや石材などのようにプレートの下に空洞が存在すると衝撃で割れるおそれがあるような材料であっても、プレートの材料として使用することができる。
【００２５】
また、第８の発明は、第５〜第７のいずれか１つの発明において、前記プレートは、テーパ部が形成された端部を有し、前記端部を既設の床面に載置することを特徴とするトイレ改修工法である。
【００２６】
このトイレ改修工法によれば、トイレ室の床面の全体を撤去することなく、段差部だけを撤去することによりトイレ改修工事を実施することができる。そのため、段差部に設置された和風便器を洋風便器に改修する工事の工期の短縮化を図ることができる。
【発明の効果】
【００２９】
本発明の態様によれば、工期の短縮化を図ることができる、あるいは熟練技術を有する左官工でなくとも施工が可能な床面の改修工法、トイレ改修工法、および施工治具が提供される。
【図面の簡単な説明】
【００３０】
【図１】本発明の実施の形態にかかる床面の改修工法を表すフローチャート図である。
【図２】本実施形態にかかる床面の改修工法を表す模式図である。
【図３】本実施形態にかかる床面の改修工法を表す模式図である。
【図４】本実施形態の施工治具を例示する模式図である。
【図５】本実施形態の施工治具を例示する模式図である。
【図６】本実施形態にかかる床面の改修工法を表す模式図である。
【図７】本実施形態にかかる床面の改修工法を表す模式図である。
【図８】本実施形態にかかる床面の改修工法を表す模式図である。
【図９】本実施形態にかかる床面の改修工法を表す模式図である。
【図１０】本実施形態にかかる床面の改修工法を表す模式図である。
【図１１】本発明の他の実施の形態にかかる床面の改修工法を表すフローチャート図である。
【図１２】本実施形態の施工治具を例示する模式図である。
【図１３】本実施形態の施工治具を例示する模式図である。
【図１４】本実施形態にかかる床面の改修工法を表す模式図である。
【図１５】本実施形態にかかる床面の改修工法を表す模式図である。
【図１６】本実施形態にかかる床面の改修工法を表す模式図である。
【図１７】本実施形態にかかる床面の改修工法を表す模式図である。
【図１８】本実施形態にかかる床面の改修工法を表す模式図である。
【図１９】本実施形態の施工治具を例示する模式図である。
【図２０】本実施形態の施工治具を例示する模式図である。
【図２１】本実施形態にかかる床面の改修工法を表す模式図である。
【図２２】本実施形態にかかる床面の改修工法を表す模式図である。
【図２３】本実施形態にかかる床面の改修工法を表す模式図である。
【図２４】本実施形態にかかる床面の改修工法を表す模式図である。
【図２５】本発明の実施の形態にかかるトイレ改修工法を表すフローチャート図である。
【図２６】本実施形態にかかるトイレ改修工法を表す模式図である。
【図２７】本実施形態にかかるトイレ改修工法を表す模式図である。
【図２８】本実施形態にかかるトイレ改修工法を表す模式図である。
【図２９】本実施形態にかかるトイレ改修工法を表す模式図である。
【図３０】改修後の床面（プレート）の形状の変形例を例示する断面模式図である。
【発明を実施するための形態】
【００３１】
以下、本発明の実施の形態について図面を参照しつつ説明する。なお、各図面中、同様の構成要素には同一の符号を付して詳細な説明は適宜省略する。  
図１は、本発明の実施の形態にかかる床面の改修工法を表すフローチャート図である。  また、図２、図３、および図６〜図１０は、本実施形態にかかる床面の改修工法を表す模式図である。  
なお、図２（ａ）および図３（ａ）は、床面の改修箇所を斜め上方から眺めた斜視模式図である。図２（ｂ）、図３（ｂ）、および図６〜図１０は、図２（ａ）に表した切断面Ａ−Ａにおける断面模式図に相当する。
【００３２】
以下では、図１に表したフローチャート図の床面の改修工法を、図２、図３、および図６〜図１０を参照しつつ説明する。  
本実施形態にかかる床面の改修工法では、まず、図２に表したように、床面に凹部１０１を形成する（ステップＳ１０１）。既設の床面１０３は、例えばタイルや石材やコンクリートなどにより形成されている。そのため、凹部１０１は、例えば既設の床面１０３のハツリ作業を行った部分（ハツリ部分）に相当する。但し、既設の床面１０３の材料は、これだけに限定されるわけではない。
【００３３】
ハツリ作業を行った後の凹部１０１の底面は、不陸な状態となっている。続いて、凹部の清掃を行う（ステップＳ１０３）。続いて、図３（ａ）および図３（ｂ）に表したように、後述するモルタルを打設する際に使用する施工治具４１０を凹部１０１に設置する（ステップＳ１０５）。
【００３４】
ここで、本実施形態の施工治具４１０について、図面を参照しつつ説明する。  
図４および図５は、本実施形態の施工治具を例示する模式図である。  
なお、図４（ａ）は、本実施形態の施工治具４１０を斜め上方から眺めた斜視模式図である。図４（ｂ）は、本実施形態の施工治具４１０を上方から眺めた平面模式図である。図５（ａ）は、図４（ｂ）に表した切断面Ｂ１−Ｂ１における断面模式図である。図５（ｂ）は、図４（ｂ）に表した切断面Ｃ１−Ｃ１における断面模式図である。
【００３５】
図４（ａ）に表したように、本実施形態の施工治具４１０は、支持部４１１と、高さ調整部４１３と、モルタル均しガイド４１５と、を有する。支持部４１１と、高さ調整部４１３と、モルタル均しガイド４１５と、の設置数は、図４（ａ）に表した施工治具４１０における設置数に限定されるわけではない。
【００３６】
図４（ｂ）に表したように、支持部４１１は、貫通穴４１９を有する。また、図５（ａ）および図５（ｂ）に表したように、支持部４１１の下面であって貫通穴４１９の位置には、ナット４１２が固定されている。なお、ナット４１２は、支持部４１１の上面に設けられていてもよい。あるいは、ナット４１２の代わりに、雌ねじが支持部４１１に設けられていてもよい。一方、高さ調整部４１３は、雄ねじが形成されたねじ部４１３ａを有する。そして、高さ調整部４１３のねじ部４１３ａが支持部４１１のナット４１２と係合することにより、高さ調整部４１３は、支持部４１１に支持されている。また、高さ調整部４１３を回転させることにより、支持部４１１およびモルタル均しガイド４１５の高さ方向の位置を調整することができる。
【００３７】
図４（ｂ）に表したように、モルタル均しガイド４１５は、例えばねじなどの締結部材４１７により支持部４１１の上面に固定されている。図５（ａ）および図５（ｂ）に表したように、モルタル均しガイド４１５および支持部４１１の長手方向の断面形状は、例えばそれぞれＬ字形状である。但し、モルタル均しガイド４１５および支持部４１１の長手方向の断面形状は、これだけに限定されず、コの字形状すなわち底部の両端部がその底部から突出した形状を有していてもよい。例えば、モルタル均しガイド４１５および支持部４１１は、金属あるいは樹脂などによりそれぞれ形成されている。
【００３８】
図３に戻って説明すると、施工治具４１０のモルタル均しガイド４１５の長手方向が床面の改修箇所の奥行方向あるいは間口方向と略平行となるように、施工治具４１０を凹部１０１に設置する（ステップＳ１０５）。続いて、高さ調整部４１３を回転させることにより、支持部４１１およびモルタル均しガイド４１５の高さ方向の位置を調整する（ステップＳ１０７）。
【００３９】
続いて、図６に表したように、凹部１０１にモルタル１０９を打設する（ステップＳ１０９）。このとき、モルタル均しガイド４１５の上面４１５ａよりも例えば約２ｍｍ〜３ｍｍ程度高い位置までモルタル１０９を敷き詰める。モルタル１０９は、普通ポルトランドセメント（ＪＩＳ規格番号  Ｒ  ５２１０）を用いた一般的なモルタルなどと比較すると速硬性を有する速硬性モルタルである。つまり、モルタル１０９の硬化時間は、普通ポルトランドセメントを用いた一般的なモルタルなどの硬化時間よりも短い。続いて、図７に表した矢印Ａ１のように、モルタル均しガイド４１５の上面４１５ａに沿って定規４９０を滑らせることにより、あるいは定規４９０をモルタル均しガイド４１５の上面４１５ａに軽く触れつつ移動させることにより、モルタル１０９の表面を平滑に施工する。  
本願明細書において、「定規」とは、水平あるいは垂直な仕上げ面を施す左官工事の型板をいうものとする。定規は、一般的に細長い形状を有し、例えば木や金属や樹脂などにより形成されている。
【００４０】
続いて、図８に表したように、モルタル均しガイド４１５の上面４１５ａから上方へ突出した高さ調整部４１３の一部を切断する（ステップＳ１１１）。なお、「高さ調整部切断（ステップＳ１１１）」は、「高さ調整（ステップＳ１０７）」と「モルタル打設（ステップＳ１０９）」との間に行われてもよい。続いて、表面が平滑に施工されたモルタル１０９の上面にプライマを塗布し（ステップＳ１１３）、図８に表したように、モルタル１０９の上面およびモルタル均しガイド４１５の上面４１５ａの少なくともいずれかにスペーサ１１５を設置する（ステップＳ１１４）。これにより、モルタル１０９の接着性を向上させることができる。また、後述するように、作業者は、接着剤１０８が硬化する前にプレート１１３の上に載って器具の設置作業を行うことができる。
【００４１】
続いて、図９に表したように、モルタル１０９の上面に接着剤１０８を塗布する（ステップＳ１１５）。本実施形態の接着剤１０８としては、例えばエポキシ系接着剤などが挙げられる。なお、「スペーサ設置（ステップＳ１１４）」は、「接着剤塗布（ステップＳ１１５）」の後に行われてもよい。
【００４２】
続いて、図１０に表したように、接着剤１０８の上にプレート１１３を設置する（ステップＳ１１７）。プレート１１３は、例えば陶磁器質タイルや石材やセメント系パネルなどにより形成されている。プレート１１３は、プレート１１３の下に設けられた接着剤１０８が硬化する前において、作業者がプレート１１３の上に載って作業を行うことができる強度を有する。これによれば、作業者は、接着剤１０８が硬化する前にプレート１１３の上に載って器具（例えば洋風便器など）の設置作業を行うことができる。
【００４３】
また、プレート１１３の下には、モルタル１０９および接着剤１０８が充填されている。そのため、モルタル１０９および接着剤１０８は、硬化した後にはプレート１１３にかかる荷重を面全体で支えることができる。そのため、プレート１１３は、接着剤１０８が硬化する前に作業者が上に載って作業可能な強度を有していればよく、プレート１１３を形成する材料を比較的高強度を有する材料に限定せず、比較的自由に選択することができる。例えば、タイルや石材などのようにプレート１１３の下に空洞が存在すると衝撃で割れるおそれがあるような材料であっても、プレート１１３の材料として使用することができる。
【００４４】
プレート１１３の端部は、既設の床面１０３の上に載置されている。既設の床面１０３の側に配置されたプレート１１３の端部には、テーパ部１１３ａが設けられている。これによれば、床面１０３の全体を撤去することなく本実施形態にかかる床面の改修工事を実施することができる。そのため、床面を改修する工事の工期の短縮化を図ることができる。但し、プレート１１３の設置形態は、これだけに限定されるわけではない。例えば、プレート１１３は、プレートの上面が既設の床面１０３の上面と略同一面となるように設置されていてもよい。
【００４５】
以上説明したように、本実施形態にかかる床面の改修工法のよれば、施工治具４１０および定規４９０を使用することで、モルタル１０９の表面を平滑に施工することができる。つまり、熟練技術を有することなく精度の高い平滑面を得ることができる。そのため、熟練技術を有する左官工でなくとも施工が可能な床面の改修工法を提供することができる。また、モルタル１０９を打設するときに、モルタル均しガイド４１５をモルタル１０９内に埋め込む。そして、モルタル均しガイド４１５の上面４１５ａから上方へ突出した高さ調整部４１３の一部を切断する。これにより、モルタル均しガイド４１５を取り外す作業を省き、作業性を向上させることができる。また、モルタル１０９の表面を荒らすことなく平滑性を維持することができる。
【００４６】
次に、本発明の他の実施の形態にかかる床面の改修工法について、図面を参照しつつ説明する。  
図１１は、本発明の他の実施の形態にかかる床面の改修工法を表すフローチャート図である。  
また、図１２および図１３は、本実施形態の施工治具を例示する模式図である。  
また、図１４〜図１８は、本実施形態にかかる床面の改修工法を表す模式図である。  
なお、図１２（ａ）は、本実施形態の施工治具４２０を斜め上方から眺めた斜視模式図である。図１２（ｂ）は、本実施形態の施工治具４２０を上方から眺めた平面模式図である。図１３（ａ）は、図１２（ｂ）に表した切断面Ｂ２−Ｂ２における断面模式図である。図１３（ｂ）は、図１２（ｂ）に表した切断面Ｃ２−Ｃ２における断面模式図である。  また、図１７（ａ）は、床面の改修箇所を斜め上方から眺めた斜視模式図である。図１４〜図１６、図１７（ｂ）、および図１８は、図２（ａ）に表した切断面Ａ−Ａにおける断面模式図に相当する。
【００４７】
まず、本実施形態の施工治具４２０について、図面を参照しつつ説明する。  
図１２（ａ）に表したように、本実施形態の施工治具４２０は、支持部４２１と、高さ調整部４２３と、モルタル均しガイド４２５と、を有する。図１２（ｂ）に表したように、支持部４２１は、貫通穴４２９を有する。また、図１３（ａ）および図１３（ｂ）に表したように、支持部４２１の下面であって貫通穴４２９の位置には、ナット４２２が固定されている。なお、ナット４２２の代わりに、雌ねじが支持部４２１に設けられていてもよい。一方、高さ調整部４２３は、雄ねじが形成されたねじ部４２３ａを有する。そして、高さ調整部４２３を回転させることにより、支持部４２１およびモルタル均しガイド４２５の高さ方向の位置を調整することができるとともに、高さ調整部４２３を支持部４２１から上方へ取り外すことができる。
【００４８】
図１３（ａ）に表したように、本実施形態のモルタル均しガイド４２５は、平板により形成されている。モルタル均しガイド４２５の上面（平滑部）４２５ａは、平滑に形成されている。その他の構造は、図４および図５に関して前述した施工治具４１０の構造と同様である。
【００４９】
本実施形態にかかる床面の改修工法では、図１に関して前述した床面の改修工法の「高さ調整部切断（ステップＳ１１１）」が「高さ調整部取り外し（ステップＳ１２１）」に置換されている。その他の床面の改修工法は、図１に関して前述した床面の改修工法と同様である。
【００５０】
具体的に、図１１に表したフローチャート図の床面の改修工法を、図１４〜図１８を参照しつつ説明する。  
図１４に表したように、施工治具４２０のモルタル均しガイド４２５の長手方向が床面の改修箇所の奥行方向（図３参照）あるいは間口方向（図３参照）と略平行となるように、施工治具４２０を凹部１０１に設置する（ステップＳ１０５）。続いて、高さ調整部４２３を回転させることにより、支持部４２１およびモルタル均しガイド４２５の高さ方向の位置を調整する（ステップＳ１０７）。
【００５１】
続いて、図１５に表したように、凹部１０１にモルタル１０９を打設する（ステップＳ１０９）。このとき、モルタル均しガイド４２５の上面４２５ａよりも例えば約２ｍｍ〜３ｍｍ程度高い位置までモルタル１０９を敷き詰める。続いて、図１６に表した矢印Ａ２のように、モルタル均しガイド４２５の上面４２５ａに沿って定規４９０を滑らせることにより、あるいは定規４９０をモルタル均しガイド４２５の上面４２５ａに軽く触れつつ移動させることにより、モルタル１０９の表面を平滑に施工する。このとき、モルタル均しガイド４２５の上面４２５ａは、モルタル１０９の上面と略同一面とされ、外部に露出する。
【００５２】
続いて、図１７（ａ）および図１７（ｂ）に表したように、高さ調整部４２３を回転させることにより、高さ調整部４２３を支持部４２１から取り外す（ステップＳ１２１）。続いて、プライマを塗布し（ステップＳ１１３）、図１８に表したように、モルタル１０９の上面およびモルタル均しガイド４２５の上面４２５ａの少なくともいずれかにスペーサ１１５を設置する（ステップＳ１１４）。
【００５３】
本実施形態にかかる床面の改修工法によれば、モルタル１０９を打設した後、且つモルタル１０９が硬化する前に若しくは半硬化状態で、一部がモルタル１０９の上面から上方へ突出した高さ調整部４２３を取り外すことができる。これにより、モルタル１０９が硬化した後に、モルタル１０９の上面から上方へ突出した高さ調整部４２３の一部を切断する手間を省くことができる。また、プレート１１３は、モルタル均しガイド４２５の上面（平滑部）４２５ａに設置されたスペーサ１１５を介在させてモルタル１０９およびモルタル均しガイド４２５の上面４２５ａに設置される。これにより、モルタル１０９の上面にスペーサ１１５を介在させる場合よりも、プレート１１３の仕上げ面を精度よく平滑にすることができる。
【００５４】
次に、本発明の他の実施の形態にかかる床面の改修工法について、図面を参照しつつ説明する。  
図１９および図２０は、本実施形態の施工治具を例示する模式図である。  
また、図２１〜図２４は、本実施形態にかかる床面の改修工法を表す模式図である。  
なお、図１９（ａ）は、本実施形態の施工治具４３０を斜め上方から眺めた斜視模式図である。図１９（ｂ）は、本実施形態の施工治具４３０を上方から眺めた平面模式図である。図２０（ａ）は、図１９（ｂ）に表した切断面Ｂ３−Ｂ３における断面模式図である。図２０（ｂ）は、図１９（ｂ）に表した切断面Ｃ３−Ｃ３における断面模式図である。  また、図２１〜図２４は、図２（ａ）に表した切断面Ａ−Ａにおける断面模式図に相当する。
【００５５】
まず、本実施形態の施工治具４３０について、図面を参照しつつ説明する。  
図１９（ａ）に表したように、本実施形態の施工治具４３０は、第１の高さ調整部４３１と、第２の高さ調整部４３３と、モルタル均しガイド４３５と、を有する。つまり、本実施形態の施工治具４３０の高さ調整部は、第１の高さ調整部４３１と、第２の高さ調整部４３３と、を有する。図１９（ｂ）に表したように、第１の高さ調整部４３１は、例えばねじなどの締結部材４３７によりモルタル均しガイド４３５の上面４３５ａに固定されている。モルタル均しガイド４３５の上面（平滑部）４３５ａは、平滑に形成されている。
【００５６】
図１９（ｂ）に表したように、第１の高さ調整部４３１は、貫通穴４３９を有する。また、図２０（ａ）および図２０（ｂ）に表したように、第１の高さ調整部４３１の下面であって貫通穴４３９の位置には、ナット４３２が固定されている。なお、ナット４３２は、第１の高さ調整部４３１の上面に設けられていてもよい。あるいは、ナット４３２の代わりに、雌ねじが第１の高さ調整部４３１に設けられていてもよい。一方、第２の高さ調整部４３３は、雄ねじが形成されたねじ部４３３ａを有する。そして、第２の高さ調整部４３３を回転させることにより、第１の高さ調整部４３１およびモルタル均しガイド４３５の高さ方向の位置を調整することができるとともに、第２の高さ調整部４３３を第１の高さ調整部４３１から上方へ取り外すことができる。また、締結部材４３７を取り外すことにより、第１の高さ調整部４３１をモルタル均しガイド４３５から取り外すことができる。
【００５７】
図２０（ａ）に表したように、モルタル均しガイド４３５の長手方向の断面形状は、例えばＴ字形状である。図２０（ｂ）に表したように、第１の高さ調整部４３１は、例えば長手方向にみたときに両端部が上方へ突出した形状を有する。例えば、第１の高さ調整部４３１およびモルタル均しガイド４３５は、金属あるいは樹脂などによりそれぞれ形成されている。
【００５８】
本実施形態にかかる床面の改修工法のフローチャート図は、図１１に関して前述したフローチャート図と同様である。具体的に、図２１〜図２４を参照しつつ説明する。  
図２１に表したように、施工治具４３０のモルタル均しガイド４３５の長手方向が床面の改修箇所の奥行方向（図３参照）あるいは間口方向（図３参照）と略平行となるように、施工治具４３０を凹部１０１に設置する（ステップＳ１０５）。続いて、第２の高さ調整部４３３を回転させることにより、第１の高さ調整部４３１およびモルタル均しガイド４３５の高さ方向の位置を調整する（ステップＳ１０７）。
【００５９】
続いて、図２２に表したように、凹部１０１にモルタル１０９を打設する（ステップＳ１０９）。このとき、モルタル均しガイド４３５の上面４３５ａよりも例えば約２ｍｍ〜３ｍｍ程度高い位置までモルタル１０９を敷き詰める。続いて、図２３に表した矢印Ａ３のように、モルタル均しガイド４３５の上面４３５ａに沿って定規４９０を滑らせることにより、あるいは定規４９０をモルタル均しガイド４３５の上面４３５ａに軽く触れつつ移動させることにより、モルタル１０９の表面を平滑に施工する。このとき、モルタル均しガイド４３５の上面４３５ａは、モルタル１０９の上面と略同一面とされ、外部に露出する。
【００６０】
続いて、図２４に表したように、第２の高さ調整部４３３を回転させることにより、第２の高さ調整部４３３を第１の高さ調整部４３１から取り外す（ステップＳ１２１）。さらに、締結部材４３７を取り外すことにより、第１の高さ調整部４３１をモルタル均しガイド４３５から取り外す（ステップＳ１２１）。その他の床面の改修工法は、図１および図１１に関して前述した床面の改修工法と同様である。
【００６１】
本実施形態にかかる床面の改修工法によれば、第１の高さ調整部４３１を再利用することができる。また、図１１〜図１８に関して前述した効果と同様の効果が得られる。
【００６２】
次に、本発明の他の実施の形態について、図面を参照しつつ説明する。  
図２５は、本発明の実施の形態にかかるトイレ改修工法を表すフローチャート図である。  
また、図２６〜図２９は、本実施形態にかかるトイレ改修工法を表す模式図である。  
なお、図２６〜図２８は、トイレ室の改修箇所を斜め上方から眺めた斜視模式図である。図２９は、図２７に表した切断面Ｄ−Ｄにおける断面模式図に相当する。
【００６３】
以下では、図２５に表したフローチャート図のトイレ改修工法を、図２６〜図２８を参照しつつ説明する。  
本実施形態にかかるトイレ改修工法では、図２６に表したように、段差部２０２を有する床面に設置された和風便器３１１を洋風便器３０１（図２９参照）に改修する。上段床面２０１、段差部２０２、および下段床面（既設の床面）２０３は、例えばタイルや石材やコンクリートなどにより形成されている。但し、上段床面２０１、段差部２０２、および下段床面２０３の材料は、これだけに限定されるわけではない。本実施形態にかかるトイレ改修工法では、まず、段差部２０２を有する床面に設置された和風便器３１１を除去する（ステップＳ２０１）。続いて、図２７に表したように、和風便器３１１の排水管３１５を残したままで段差部２０２を除去し凹部２０４を形成する（ステップＳ２０３）。
【００６４】
続いて、ステップＳ２０５〜ステップＳ２２１に表したトイレ改修工法は、図１１に表に関して前述したステップＳ１０３〜ステップＳ１１７に関して前述した床面の改修工法と同様である。なお、本実施形態にかかるトイレ改修工法では、モルタルを打設する際に使用する施工治具として、図１９および図２０に関して前述した施工治具４３０を用いる場合を例に挙げて説明する。
【００６５】
すなわち、図２８に表したように、図２０〜図２４に関して前述した床面の改修工法により凹部１０１にモルタル１０９を打設し（ステップＳ２１１）、モルタル１０９の表面を平滑に施工すると、モルタル均しガイド４３５の上面４３５ａは、モルタル１０９の上面と略同一面とされ、外部に露出する。また、排水管３１５の端部は、隣り合うモルタル均しガイド４３５の上面４３５ａの間において外部に露出している。なお、「高さ調整部切断（ステップＳ２１３）」は、「高さ調整（ステップＳ２０９）」と「モルタル打設（ステップＳ２１１）」との間に行われてもよい。
【００６６】
続いて、図２９に表したように、スペーサ１１５を設置し（ステップＳ２１７）、接着剤１０８を塗布し（ステップＳ２１９）、接着剤１０８の上にプレート１１３を設置する（ステップＳ２２１）。なお、「スペーサ設置（ステップＳ２１７）」は、「接着剤塗布（ステップＳ２１９）」の後に行われてもよい。続いて、和風便器３１１の排水管３１５と洋風便器３０１の排水口とを例えば排水ソケットや排水接続管などの接続部材を介して接続し、洋風便器３０１をプレート１１３の上に載置する（ステップＳ２２３）。そして、モルタル１０９が硬化した後、モルタル１０９に洋風便器３０１の固定具３０３や接続部材の固定具（図示せず）を固定する（ステップＳ２２３）。
【００６７】
プレート１１３の端部は、既設の床面１０３の上に載置されている。既設の床面１０３の側に配置されたプレート１１３の端部には、テーパ部１１３ａが設けられている。これによれば、トイレ室の床面（下段床面２０３）の全体を撤去することなく、段差部２０２（図２６参照）を撤去することにより本実施形態にかかるトイレ改修工事を実施することができる。そのため、段差部２０２に設置された和風便器３１１を洋風便器３０１に改修する工事の工期の短縮化を図ることができる。
【００６８】
なお、本実施形態にかかるトイレ改修工法では、モルタルを打設する際に使用する施工治具として、図４および図５に関して前述した施工治具４１０、あるいは図１２および図１３に関して前述した施工治具４２０を用いてもよい。すなわち、本実施形態にかかるトイレ改修工法では、図１〜図２４に関して前述したいずれかの床面の改修工法によりモルタルを打設することができる。
【００６９】
以上説明したように、本実施形態にかかるトイレ改修工法によれば、施工治具４１０および定規４９０を使用することで、モルタル１０９の表面を平滑に施工することができる。つまり、熟練技術を有することなく精度の高い平滑面を有するモルタル下地を施工することができる。そのため、モルタル１０９の施工から洋風便器３０１の施工までの作業を設備工だけで行うことができる。
【００７０】
また、図２９に表したように、スペーサ１１５が設置されている場合には、作業者は、接着剤１０８が硬化する前にプレート１１３の上に載って作業を行うことができる。これにより、作業者は、接着剤１０８が硬化する前に洋風便器３０１を設置することができる。そして、段差部２０２を有する床面に設置された和風便器３１１を洋風便器３０１に改修するトイレ改修工事の工期の短縮化を図ることができる。本実施形態にかかるトイレ改修工法によれば、例えば約１〜２日間程度の工期で前述したトイレ改修工事を行うことができる。
【００７１】
また、図１０に関して前述したように、プレート１１３は、例えば陶磁器質タイルや石材やセメント系パネルなどにより形成されている。プレート１１３は、プレート１１３の下に設けられた接着剤１０８が硬化する前において、作業者がプレート１１３の上に載って作業を行うことができる強度を有する。これによれば、作業者は、接着剤１０８が硬化する前にプレート１１３の上に載って洋風便器３０１の設置作業を行うことができる。また、プレート１１３の下にモルタル１０９および接着剤１０８が充填されている。そのため、図１０に関して前述したように、例えばタイルや石材などのようにプレート１１３の下に空洞が存在すると衝撃で割れるおそれがあるような材料であっても、プレート１１３の材料として使用することができる。
【００７２】
図３０は、改修後の床面（プレート）の形状の変形例を例示する断面模式図である。  
なお、図３０は、改修後の床面（プレート）を奥行方向（図３参照）あるいは間口方向（図３参照）にみたときの床面の断面模式図である。図３０（ａ）は、改修後の床面が曲面を有する例を例示する断面模式図である。図３０（ｂ）は、改修後の床面が２つの平面を接続された形状を有する例を例示する断面模式図である。
【００７３】
図３０（ａ）に表したように、接着剤１０８の上に設置されたプレート１３１は、中央部の高さの位置が両端部の高さの位置よりも低い曲面形状を有していてもよい。また、図３０（ｂ）に表したように、接着剤１０８の上に設置された第１のプレート１４１および第２のプレート１４２は、中央部において互いに接続され、高さの位置が両端部から中央部に向かうにつれて低くなる傾斜を有していてもよい。
【００７４】
これらは、例えば、プレートの形状や高さ調整部４１３、４２３、４３３の調整位置などを適宜設定することにより実現することができる。  
これらによれば、例えば掃除口が中央部近傍の床面に設けられている場合には、床面上の水などを掃除口へ導くことができる。
【００７５】
このように、本願明細書において「平滑」という範囲には、同一平面が滑らかであることだけではなく、曲面や多数の平面が接続された全体の面が滑らかであることが含まれるものとする。  
なお、傾斜方向は、図３０（ａ）および図３０（ｂ）に例示した方向に限定されず、例えば、高さの位置が改修箇所の奥側から手前側に向かうにつれて低くなる傾斜方向や、高さの位置が改修箇所の左側端部から右側端部に向かうにつれて低くなる傾斜方向であってもよい。あるいは、それらの方向のそれぞれ逆の傾斜方向であってもよい。
【００７６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、施工治具４１０、４２０、４３０などが備える各要素の形状、寸法、材質、配置などや高さ調整部４１３、４２３、４３３およびモルタル均しガイド４１５、４２５、４３５の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７７】
１０１ 凹部、  １０３ 床面、  １０８ 接着剤、  １０９ モルタル、  １１３ プレート、  １１３ａ テーパ部、  １１５ スペーサ、  １３１ プレート、  １４１ 第１のプレート、  １４２ 第２のプレート、  ２０１ 上段床面、  ２０２ 段差部、  ２０３ 下段床面、  ２０４ 凹部、  ３０１ 洋風便器、  ３０３ 固定具、  ３１１ 和風便器、  ３１５ 排水管、  ４１０ 施工治具、  ４１１ 支持部、  ４１２ ナット、  ４１３ 調整部、  ４１３ａ ねじ部、  ４１５ モルタル均しガイド、  ４１５ａ 上面、  ４１７ 締結部材、  ４１９ 貫通穴、  ４２０ 施工治具、  ４２１ 支持部、  ４２２ ナット、  ４２３ 調整部、  ４２３ａ ねじ部、  ４２５ モルタル均しガイド、  ４２５ａ 上面、  ４２９ 貫通穴、  ４３０ 施工治具、  ４３１ 調整部、  ４３２ ナット、  ４３３ 調整部、  ４３３ａ ねじ部、  ４３５ モルタル均しガイド、  ４３５ａ 上面、  ４３７ 締結部材、  ４３９ 貫通穴、  ４９０ 定規
【図１】
0005880085.tif 000002
【図２】
0005880085.tif 000003
【図３】
0005880085.tif 000004
【図４】
0005880085.tif 000005
【図５】
0005880085.tif 000006
【図６】
0005880085.tif 000007
【図７】
0005880085.tif 000008
【図８】
0005880085.tif 000009
【図９】
0005880085.tif 000010
【図１０】
0005880085.tif 000011
【図１１】
0005880085.tif 000012
【図１２】
0005880085.tif 000013
【図１３】
0005880085.tif 000014
【図１４】
0005880085.tif 000015
【図１５】
0005880085.tif 000016
【図１６】
0005880085.tif 000017
【図１７】
0005880085.tif 000018
【図１８】
0005880085.tif 000019
【図１９】
0005880085.tif 000020
【図２０】
0005880085.tif 000021
【図２１】
0005880085.tif 000022
【図２２】
0005880085.tif 000023
【図２３】
0005880085.tif 000024
【図２４】
0005880085.tif 000025
【図２５】
0005880085.tif 000026
【図２６】
0005880085.tif 000027
【図２７】
0005880085.tif 000028
【図２８】
0005880085.tif 000029
【図２９】
0005880085.tif 000030
【図３０】
0005880085.tif 000031